(57)【要約】      （修正有）【課題】ファスナーを使用せずに、首部の近傍の組成変形を少なくする一方、着脱に際しウエットスーツが左右両側に伸縮し易いような構成を提供する。【解決手段】ウエットスーツ本体の前側胸部、肩部、及び上側背部をカバーして被覆する一方、首部に対し密着状態にて巻着し得る首巻着部を設け、当該首巻着部は、前記上側背部と接合され、前側胸部に対しては面ファスナーを介して着脱自在とされており、ウエットスーツ本体の肩部及び上側背部をカバーする領域３２として、左腕部に接続する左側部と右腕部に接続する右側部とに分離されている左右分離領域部を独立した状態にて設け、ウエットスーツ本体の他の領域と接合しており、当該左右分離領域部のうち、上側背部をカバーしている領域に対し、身体をカバーする側の内側方向から補強カバー部４を接合している。【選択図】図３
0003152384.tif 000002
【実用新案登録請求の範囲】
【請求項１】
弾力性を有する素材を採用し、かつ着脱用のファスナーを設けていないウエットスーツであって、当該ウエットスーツ本体の前側胸部、肩部、及び上側背部をカバーして被覆する一方、首部に対し密着状態にて巻着し得る首巻着部を設け、当該首巻着部は、前記上側背部と接合され、前側胸部に対しては面ファスナーを介して着脱自在とされており、ウエットスーツ本体の肩部及び上側背部をカバーする領域として、左腕部に接続する左側部と右腕部に接続する右側部とに分離されている左右分離領域部を独立した状態にて設け、ウエットスーツ本体の他の領域と接合しており、当該左右分離領域部のうち、上側背部をカバーしている領域に対し、身体をカバーする側の内側方向から補強カバー部を接合していることに基づくウエットスーツ。
【請求項２】
補強カバー部の上側が広幅であって、下側が狭幅に形成されており、上側の広幅部分の両側端部は、ウエットスーツ本体の左右両側の脇の近傍において接合されており、下側の狭幅部分の下側端部は、ウエットスーツ本体の上側背部をカバーしている領域のうち、前記のように左右に分離した部位の下端の下方近傍に接続されていることを特徴とする請求項１記載のウエットスーツ。
【請求項３】
肩部から上側背部に掛けて左右両側の分離による隙間が形成されており、当該隙間の幅が肩部から下方の位置となるに従って、順次狭幅に形成されていることを特徴とする請求項１、２の何れか一項に記載のウエットスーツ。
【請求項４】
左右両側にそれぞれ紐を介在させ、一方端は袖部内側における先端又はその近傍に固着され、他方端部は左右に分離している上側背部の分離している位置の近傍に固着されていることを特徴とする請求項１、２、３の何れか一項に記載のウエットスーツ。
【考案の詳細な説明】
【技術分野】
【０００１】
本考案は弾力性を有する素材を使用し、かつサーフィン、遊泳、スキューバダイビング及び河川並びに海洋の調査を目的とする潜水等に使用し得るウエットスーツに関するものである。
【背景技術】
【０００２】
ウエットスーツの着脱には、これまで背部又は前側胸部においてファスナーを採用し、当該ファスナーの着脱を介してウエットスーツの装着及び当該装着からの脱出状態を実現しており、その典型例は例えば特許文献１に示すとおりである。
【０００３】
しかしながらファスナーを採用した場合には、ウエットスーツの素材として弾力性、具体的には面方向の伸縮性が減殺され、運動機能に支障が生ずること、更には水が浸入し易いこと等による欠点を免れることができない。
【０００４】
このような状況に鑑み、ファスナーを使用していないウエットスーツの構成が形状されており、当該構成においては、必然的に首部における水の浸入をできるだけ少なくするため、首部を前記弾力性を以って密接に巻着する構成が採用されており、例えばこのような構成は特許文献２、３に示すとおりである。
【０００５】
しかしながら、ウエットスーツ全体の弾力性に基づいて、首部に対し水の浸入を防止するか、又は可能な限り少なくするために必要な圧力を伴って巻着した場合には、ウエットスーツのうち、首部に近い部分は、相当の弾力変形が必要とされることから、組成変形によって疲労する場合があり、このような疲労が生じた場合には、前記圧力に基づく密着性を十分持続することができないという欠点を免れることができない。
【０００６】
このような首部の近傍における組成変形を防止するために、首巻着部を特に前側胸部、肩部及び上側背部をカバーする領域に限定して、ウエットスーツ本体に重畳し、かつウエットスーツ本体の上側背部と接合する構成が提唱されている。
【０００７】
しかしながら、そのような構成の場合には、ウエットスーツ本体の上側背部が二重構成となるため、左右両側における伸縮性が低下し、着脱に際し、ウエットスーツ本体を容易に左右両側に押し広げることが困難とならざるを得ない。
【０００８】
そして、現状においては、首巻着部を前記のような限定した領域として、上側背部に接合したうえで、ウエットスーツ本体を左右両側に伸縮し易い構成は提唱されていない。
【先行技術文献】
【特許文献】
【０００９】
【特許文献１】特表２００３−５３０２５６号公報
【特許文献２】第２５０５３２５号実用新案登録公報
【特許文献３】第３６４５８２０号特許公報
【考案の概要】
【考案が解決しようとする課題】
【００１０】
本考案は、ファスナーを使用せずに、首部の近傍の組成変形を少なくする一方、着脱に際しウエットスーツ本体が左右両側に伸縮し易いような構成を提供することを課題としている。
【課題を解決するための手段】
【００１１】
前記課題を解決するため、本考案の基本構成は、
（１）弾力性を有する素材を採用し、かつ着脱用のファスナーを設けていないウエットスーツであって、当該ウエットスーツ本体の前側胸部、肩部、及び上側背部をカバーして被覆する一方、首部に対し密着状態にて巻着し得る首巻着部を設け、当該首巻着部は、前記上側背部と接合され、前側胸部に対しては面ファスナーを介して着脱自在とされており、ウエットスーツ本体の肩部及び上側背部をカバーする領域として、左腕部に接続する左側部と右腕部に接続する右側部とに分離されている左右分離領域部を独立した状態にて設け、ウエットスーツ本体の他の領域と接合しており、当該左右分離領域部のうち、上側背部をカバーしている領域に対し、身体をカバーする側の内側方向から補強カバー部を接合していることに基づくウエットスーツ、
（２）補強カバー部の上側が広幅であって、下側が狭幅に形成されており、上側の広幅部分の両側端部は、ウエットスーツ本体の左右両側の脇の近傍において接合されており、下側の狭幅部分の下側端部は、ウエットスーツ本体の上側背部をカバーしている領域のうち、前記のように左右に分離した部位の下端の下方近傍に接続されていることを特徴とする前記（１）記載のウエットスーツ、
からなる。
【考案の効果】
【００１２】
前記基本構成（１）、（２）に基づき、一方では首巻着部の領域範囲が限定しているため、首部における組成変形の程度を減少させる一方、左右両側腕部にそれぞれ接続する各部が分離されていることによって、左右両側方向への伸縮を容易とすることによって着脱の便宜に資する一方、補強カバー部を内側から接合することによって、前記分離構成にも拘らず、十分な保温効果及び水の侵入防止効果を発揮することができる。
【図面の簡単な説明】
【００１３】
【図１】首巻着部の状態を示しており、（ａ）は肩部の後方及び上側背部をカバーする領域の側面図であり、（ｂ）は肩部前方及び前側胸部をカバーする領域の側面図である。
【図２】首巻着部にてカバーされた領域内にあるウエットスーツ本体において、肩部から上側背部の領域を左右両側に分離し左右両側腕部に至る状態を示す後方側面図である。
【図３】図２の左右両側に分離した領域に対し、内側からカバーする補強カバー部の形状を示す後方側面図を示す（点線は、左右に分離した上側背部が左側腕部及び右側腕部に接続することによってウエットスーツ本体を形成している状態を示しており、ハッチング部分は左右に分離した上側背部と補強カバー部との接合部分を示す。）。
【図４】図２の左右両側に分離した領域及び図３の補強カバー部を内側から重畳した場合の後方側面図を示す（点線は、補強カバー部の端部の位置を示す。）。
【図５】図２の左右に分離した領域を内側として、首巻着部をその外側に接合したことに基づく後方側面図を示す。
【考案を実施するための形態】
【００１４】
最初に首巻着部２がウエットスーツ本体１と独立しており、しかも、その領域範囲が前側胸部、肩部、上側背部に限定されており、前側の腹部、更には両側腕部５にまで及んでいないことによって比較的狭い領域範囲であることに関する技術的意義について説明する。
【００１５】
首部の周囲に至る所定の一次元方向の長さをＬとし、首巻着部２が首部に密接しかつ押圧した場合、首巻着部２の当該密接部において生じた歪応力をσとし、歪みを伴って首部の近辺において首巻着部２が前記一次元方向に縮んだ長さをａとし、伸縮に関する弾性係数をＥとした場合には、
σ＝Ｅ（ａ／Ｌ）
の近似式が成立する。
【００１６】
首部において水の浸入を防止するか、又は可能な限り少なくするために必要な密着状態を実現する押圧力が前記近似式のσによって左右される。
【００１７】
このような押圧力を実現する歪応力σが同一である場合には、各素材毎に前記弾性係数Ｅは略一定であることから、前記一次元方向の長さＬが大きい程、縮小する長さａの大きな数値とならざるを得ない。
【００１８】
したがって、本考案のように、首巻着部２の領域範囲がウエットスーツ全体の領域範囲よりも小さい場合には、前記近似式において一次元方向の長さＬが小さいことを意味しており、所定の歪応力σを形成するために必要な縮小の長さａが小さくて済むことを意味している。
【００１９】
このため、本考案においては、前記基本構成（１）のように、首巻着部２における組成変形の程度を小さくし、ひいては密接及び巻着を伴う材料の疲労を防止することができる。
【００２０】
首巻着部２の形状は、図１（ａ）、（ｂ）に示すように、首巻着部２の首部と密接に接合する部位及びその近傍において、当該部位から下方の位置となるに従って、首部の周囲から順次離れるような形状であることを特徴としている。
【００２１】
このような特徴によって、首巻着部２は局所的な密接状態を実現し、かつ水の浸入を防止するか、可能な限り小さくすることができる。
【００２２】
本考案の首巻着部２は、前記基本構成（１）のように、前側胸部において面ファスナーを介してウエットスーツ本体１と着脱自在の状態としているが、上側背部においてウエットスーツ本体１と接合している。
【００２３】
このため、前記基本構成（１）において明らかにしたように、ウエットスーツ本体１のうち、肩部及び上側背部をカバーする領域３１、３２について、図２に示すように、左腕部５に接続する左側部と右腕部５に接続する右側部とに分離している左右分離領域部３を設け、ウエットスーツ本体１の他の領域と接合することによって、着脱に際し、左右方向の伸縮を行い易い構成を採用している。
【００２４】
前記分離の形状としては、図２に示すように、肩部から上側背部に掛けて隙間が形成されており、当該隙間の幅が肩部から下方の位置となるに従って、順次狭幅に形成されていることを特徴とする形状、即ち、略Ｖ字形の隙間を形成する形状を採用する場合が多いが、その根拠は、上側背部及び肩部の位置において、上側となるに従って左右方向への伸縮の程度が必要となるからに他ならない。
但し、左右両側が分離状態であることは、防水上及び保温上決して好ましい状態ではない。
【００２５】
このような状況の下に、本考案においては、前記基本構成（１）のように、左右分離領域部３のうち、上側背部をカバーしている領域３２に対し、身体をカバーする側の内側から図３に示すように、補強カバー部（バリアパーツ）４を接合している。
【００２６】
前記基本構成（２）のように、補強カバー部４は、通常前記基本構成（２）のように、上側の広幅部分の両側端部は、ウエットスーツ本体１の左右両側の脇の近傍において接合されており、下側の狭幅部分の下側端部は、ウエットスーツ本体１の上側背部をカバーしている領域３２のうち、前記のように左右に分離した部位の下端の下方近傍に接続されていることによる接合形態を採用している。
【００２７】
前記基本構成（２）のように、補強カバー部４につき、上側を広幅とし下側を狭幅としているのは、ウエットスーツ本体１の上側背部が左右両側に分離している場合に、上側の方が隙間が生じ易く、保温の必要性が大きいことを根拠としている。
【００２８】
このように、本考案においては、上側背部において首巻着部２＋左右分離領域部３及び背部上側部＋補強カバー部４の三重構成とすることによって、首部におけるウエットスーツの素材の疲労及び当該疲労に基づく密接機能の低下を防止する一方、前記分離構成によってウエットスーツ本体１の着脱を容易とすることができ、更には前記補強カバー部（バリアパーツ）４をウエットスーツ本体１の肩及び上側背部の内側に積層することによって、保温並びに防水効果を顕著に増大させることができる。
【００２９】
内側に位置している補強カバー部（バリアパーツ）４を肩部及び左右両側に分離している上側背部に接合（実際には補強カバー部４の端部における縫着）を行ったことによるウエットスーツ本体１の状況は図４に示すとおりであり、更に図４に示した接合領域に対し、図１に示す首巻着部２を縫着したことによる背面側の状況は、図５に示すとおりである。
【００３０】
図４及び図５からも明らかなように、本考案においては、肩部については首巻着部２＋左右分離領域部３による二重のカバーを実現しており、胸部前面においても首巻着部２＋ウエットスーツ本体１の二重のカバー状況を実現することによって、上側背部以下の部位においても、十分な保温効果を実現することができる。
【実施例】
【００３１】
実施例においては、図４に示すように、左右両側にそれぞれ紐６を介在させ、一方端は袖部内側における先端又はその近傍に固着され、他方端部は左右に分離している上側背部の分離している位置の近傍に固着されていることを特徴としている。
【００３２】
このように、左右両側に前記のような接合状態を実現した場合には、使用者は、左右両側において腕を伸ばして開くことによって紐６を介して左右に分離している上側背部の全部又は一部を裏返した状態にて左右に移動することが可能となり、ひいてはウエットスーツ本体１の装着状態を速やかに離脱することができる。
【産業上の利用可能性】
【００３３】
本考案はウエットスーツの全分野において利用可能である。
【符号の説明】
【００３４】
１  ウエットスーツ本体
２  首巻着部
２１  襟部
２２  面ファスナーの存在する部位
３  左右分離領域部
３１  ウエットスーツ本体のうち、肩部をカバーする領域
３２  上側背部のうち、カバーする領域
４  補強カバー部
５  腕部
６  紐
【図１】
0003152384.tif 000003
【図２】
0003152384.tif 000004
【図３】
0003152384.tif 000005
【図４】
0003152384.tif 000006
【図５】
0003152384.tif 000007